(57)【要約】【課題】一対の方形状のシート片における隣接する２辺を開放縁とし、一対のシート片の開放側コーナ部同士を、係脱自在に係合するファイルであって、製造コストが安価で、取扱い易いファイルを提供することを課題とする。【解決手段】本考案は、一対の方形状のシート片２，２における隣接する２辺を開放縁７，８とするとともに、他の２辺をシート片２，２同士が接続又は接合した閉塞縁４，６とし、一対のシート片２，２の開放縁７，８側２辺により形成される開放側コーナ部９，９同士を、係脱自在に係合するファイルであって、一対のシート片２，２の開放側コーナ部９，９を互いに大きさの異なるＬ字状の縁を有するように形成し、小さい側の開放側コーナ部９が挿脱自在に差込み挿入されるスリット状の挿入部１８を、大きい側の開放側コーナ部９に設ける。【選択図】図１
0003172996.tif 000002
【実用新案登録請求の範囲】
【請求項１】
一対の方形状のシート片（２），（２）における隣接する２辺を開放縁（７），（８）とするとともに、他の２辺をシート片（２），（２）同士が接続又は接合した閉塞縁（４），（６）とし、一対のシート片（２），（２）の開放縁（７），（８）側２辺により形成される開放側コーナ部（９），（９）同士を、係脱自在に係合するファイルであって、一対のシート片（２），（２）の開放側コーナ部（９），（９）を互いに大きさの異なるＬ字状の縁を有するように形成し、小さい側の開放側コーナ部（９）が挿脱自在に差込み挿入されるスリット状の挿入部（１８）を、大きい側の開放側コーナ部（９）に設けたファイル。
【請求項２】
挿入部（１８）を、閉塞縁（４），（６）側２辺により形成される閉塞側コーナ部（１１）に向かって山形に湾曲した円弧状に形成した請求項１記載のファイル。
【請求項３】
前記挿入部（１８）を２つ設け、該２つの挿入部（１８）を２列に並べて配置形成した請求項１又は２の何れかに記載のファイル。
【請求項４】
２列に並べられた挿入部（１８）の円弧の中心が同一となるように各挿入部（１８）が形成された請求項３記載のファイル。
【請求項５】
挿入部（１８）が長孔又は切れ目からなる請求項１乃至４の何れかに記載のファイル。
【請求項６】
挿入部（１８）を形成する側の開放側コーナ部（９）に、開放側コーナ部（９）に沿うＬ字状の切欠き（１６）を形成することにより、該開放側コーナ部（９）をもう一方の開放側コーナ部（９）よりも小さいサイズとした請求項１乃至５の何れかに記載のファイル。
【請求項７】
シート片（２）の閉塞縁（４），（６）寄り箇所に、方形状シート（Ｎ）を保持する保持部（１３）を設けた請求項１乃至６の何れかに記載のファイル。
【請求項８】
方形状シート（Ｎ）の四隅をそれぞれ差込む４つの差込部（１９）によって保持部（１３）を構成した請求項７記載のファイル。
【請求項９】
４つの差込部（１９）が、保持部（１３）に保持された方形状シート（Ｎ）の中心側に向かって山形をなす円弧状に形成された請求項８記載のファイル。
【請求項１０】
円弧状の差込部（１９）の端部に、該差込部（１９）幅よりも大きな係止孔（１９ａ）を穿設した請求項９記載のファイル。
【考案の詳細な説明】
【技術分野】
【０００１】
この発明は、一対の方形状のシート片を備えたファイルに関する。
【背景技術】
【０００２】
一対の方形状のシート片における隣接する２辺を開放縁とするとともに、他の２辺をシート片同士が接続又は接合した閉塞縁とし、一対のシート片の間に紙書類等を収納して保持するファイルが従来公知であるが、これをさらに改良したものとして、一対のシート片の開放縁側の２辺により形成される開放側コーナ部同士を、係脱自在に係合する特許文献１に示すファイルが公知になっている。
【先行技術文献】
【特許文献】
【０００３】
【特許文献１】特開２０１０−９４９３５号公報
【考案の概要】
【考案が解決しようとする課題】
【０００４】
上記文献のファイルは、一対のシート片を重ね合せた場合に、一方の開放側コーナ部が他方の開放側コーナ部から食み出すように、該一方の開放側コーナ部を拡大させる円形の受け突片を一体形成し、受け突片に受穴部を穿設し、上記他方の開放側コーナ部を構成する小突片を、この受穴部に挿脱自在に挿入することにより、開放側コーナ部同士を係合させるものである。
そして、開放側コーナ部同士を係合させると、開放縁の一部が閉じられ、一対のシート片に挟まれて保持された紙書類等が、運搬時に抜け落ちて紛失する等の事態が防止される。
しかし、同文献のファイルは、受け突片が、一対の開放縁の延長線が交差する部分から外側に突出するため、該受け突片が搬送時等に邪魔になり、取扱性が悪い他、受穴部に挿入し易いように小突片を舌状に形成しているため、形成に手間が掛かり、コストが高くなる。
【０００５】
本考案は、一対の方形状のシート片における隣接する２辺を開放縁とし、一対のシート片の開放側コーナ部同士を、係脱自在に係合するファイルであって、製造コストが安価で、取扱い易いファイルを提供することを課題とする。
【課題を解決するための手段】
【０００６】
上記課題を解決するため、第１に、一対の方形状のシート片２，２における隣接する２辺を開放縁７，８とするとともに、他の２辺をシート片２，２同士が接続又は接合した閉塞縁４，６とし、一対のシート片２，２の開放縁７，８側２辺により形成される開放側コーナ部９，９同士を、係脱自在に係合するファイルであって、一対のシート片２，２の開放側コーナ部９，９を互いに大きさの異なるＬ字状の縁を有するように形成し、小さい側の開放側コーナ部９が挿脱自在に差込み挿入されるスリット状の挿入部１８を、大きい側の開放側コーナ部９に設けたことを特徴とする。
【０００７】
第２に、挿入部１８を、閉塞縁４，６側２辺により形成される閉塞側コーナ部１１に向かって山形に湾曲した円弧状に形成したことを特徴とする。
【０００８】
第３に、前記挿入部１８を２つ設け、該２つの挿入部１８を２列に並べて配置形成したことを特徴とする。
【０００９】
第４に、２列に並べられた挿入部１８の円弧の中心が同一となるように各挿入部１８が形成されたことを特徴とする。
【００１０】
第５に、挿入部１８が長孔又は切れ目からなることを特徴とする。
【００１１】
第６に、挿入部１８を形成する側の開放側コーナ部９に、開放側コーナ部９に沿うＬ字状の切欠き１６を形成することにより、該開放側コーナ部９をもう一方の開放側コーナ部９よりも小さいサイズとしたことを特徴とする。
【００１２】
第７に、シート片２の閉塞縁４，６寄り箇所に、方形状シートＮを保持する保持部１３を設けたことを特徴とする。
【００１３】
第８に、方形状シートＮの四隅をそれぞれ差込む４つの差込部１９によって保持部１３を構成したことを特徴とする。
【００１４】
第９に、４つの差込部１９が、保持部１３に保持された方形状シートＮの中心側に向かって山形をなす円弧状に形成されたことを特徴とする。
【００１５】
第１０に、円弧状の差込部１９の端部に、該差込部１９幅よりも大きな係止孔１９ａを穿設したことを特徴とする。
【考案の効果】
【００１６】
大きい側の開放側コーナ部の縁がＬ字状に形成され、一対の開放縁の延長線に沿う形成になるため、この開放側コーナ部が他の部分に比べて外側に突出することがないため、邪魔にならず、取扱性が良好であるとともに、大きい側の開放側コーナ部に形成された挿入部に、小さい側の開放側コーナ部のＬ字状に形成された縁を挿入すれば、開放側コーナ部同士が係合するため、小さい側の開放側コーナ部を特殊な形状に成形する必要もなく、コストを安く抑えることが可能になる。
【００１７】
また、挿入部を、閉塞縁側２辺により形成される閉塞側コーナ部に向かって山形に湾曲した円弧状に形成すれば、挿入部の形成範囲内では、挿入方向の延長線上に挿入部の円弧形状の中心が位置し、挿入状態が略同一となるため、小さい側の開放側コーナ部を挿入部に挿入する作業を、挿入方向に限定されず、スムーズに行うことが可能になる。
【００１８】
また、前記挿入部を２つ設け、該２つの挿入部を２列に並べて配置形成すれば、シート片間に保持する書類の大きさに応じて、小さい側の開放側コーナ部を、２つの挿入部の何れに挿入するかを選択することが可能になり汎用性が向上する他、開放側コーナ部を、シート片の内面側から外面側に向かって、中央寄りの挿入部に挿入した後、該開放側コーナ部を、シート片の外面側から内面側に向かって、外寄りの挿入部に挿入すれば、一対のシート片の開放側コーナ部同士を係合させる際の係合強度が向上する。
【００１９】
さらに、挿入部を形成する側の開放側コーナ部に、開放側コーナ部に沿うＬ字状の切欠きを形成することにより、該開放側コーナ部をもう一方の開放側コーナ部よりも小さいサイズとすれば、簡易な構成で、大きさのことなるＬ字状の縁を有する一対の開放側コーナ部を容易に形成することが可能になる。
【００２０】
なお、シート片の閉塞縁寄り箇所に、方形状シートを保持する保持部を設ければ、シート片を、保持することも可能になるため、利便性がさらに向上する。
【図面の簡単な説明】
【００２１】
【図１】本発明を適用したクリアファイルの平面図である。
【図２】図１に示すクリアファイルの展開図である。
【図３】（Ａ）は係合部による第１の係合状態を示す要部平面図であり、（Ｂ）は係合部による第２の係合状態を示す要部平面図であり、（Ｃ）は係合部による第３の係合状態を示す要部平面図である。
【図４】（Ａ）は保持部による第１の保持状態を示す要部平面図であり、（Ｂ）は保持部による第２の保持状態示す要部平面図である。
【考案を実施するための形態】
【００２２】
図１は、本発明を適用したクリアファイルの平面図であり、図２は、図１に示すクリアファイルの展開図である。本発明は、透明又は半透明のクリアファイル１であって、フレキシブルに変形する合成樹脂性の一対のシート片２，２によって構成されている。本クリアファイル１では、この一対のシート片２，２の対向面（内面３，３）間に、紙書類等のシート状書類（シート状対象物）Ｐを挟んで収容保持する。
【００２３】
一対のシート片２，２は略同一形状の方形状に成形され、この一対のシート片２，２の隣接する２辺同士を接続又は接合させて閉塞縁４，４，６，６とし、他の２辺同士を開放された開放端７，７，８，８とし、各シート片２，２の開放縁７，７，８，８となる２辺により形成されるコーナ部を開放側コーナ部９，９とし、各シート片２，２の閉塞縁４，４，６，６となる２辺により形成されるコーナ部を閉塞側コーナ部１１，１１としている。
【００２４】
開放側コーナ部９，９には、シート片２，２同士を係脱自在に係合させる係合部１２が設けられ、シート片２Ｂの閉塞側コーナ部１１寄り箇所（閉塞縁４，６寄り箇所）には、名刺等の方形状シートＮを保持する保持部１３が設けられている。
【００２５】
具体的な構成を説明すると、単一の長方形シート材Ｓを長手方向中央で曲げ形成することにより、一対のシート片２，２が形成され、一対のシート片２，２における短辺の内面３，３同士を圧着、ヒートシール又は接着等で接合させることにより、該短辺が閉塞縁６，６になる。
【００２６】
言換えると、長方形シート材Ｓの曲げ部分が、一体接続された閉塞縁４，４になるとともに、一対のシート片２，２の上記短辺同士が一体的に接合された閉塞縁６，６になり、この一対の閉塞縁４，６がＬ字状をなし、このＬ字状の閉塞縁４，６によって、シート片２Ａ，２Ｂ同士が連結されている。
【００２７】
なお、一対のシート片２，２を別体で形成し、四隅を合せて重ね合せ、長辺の内面３，３同士を上記のように接合させることにより閉塞縁４，４を構成するとともに、短辺の内面３，３同士も同様に接合させることにより閉塞縁６，６を構成し、このような一対のＬ字状の閉塞縁４，６これによってクリアファイル１を形成してもよい。
【００２８】
一対のシート片２，２の開放側コーナ部９，９は、大きさの異なる直角状（Ｌ字状）の角隅１４を有するように成形され、この各開放側コーナ部９，９の角隅１４，１４にはＲ（外側に膨らむ円弧）が形成されている。
【００２９】
開放側コーナ部９が大きい側のシート片２である被挿入側シート片２Ａは、各開放縁７，８が上記Ｒ状の角隅１４に至るまで一直線状に成形される一方で、開放側コーナ部９が小さい側のシート片２である挿入側シート片２Ｂは、一対の開放縁７，８の角隅１４寄り部分が該角隅１４も含めてＬ字状に切欠かれ、これによって、挿入側シート片２Ｂの開放側コーナ部９は、被挿入側シート片２Ａの開放側コーナ部９よりも小さいサイズに形成されている。
【００３０】
言換えると、挿入側シート片２Ｂの開放側コーナ部９は、該開放側コーナ部９に沿うＬ字状の切欠き１６によって、被挿入側シート片２Ａの開放側コーナ部９よりも小さいサイズとなる。そして、挿入側シート片２Ｂからクリアファイル１を見た際に、この切欠き１６によって、被挿入側シート片２Ａの内面３が露出し、挿入側シート片２Ｂを被挿入側シート片２Ａに対して捲り易くなっている。
【００３１】
この他、挿入側シート片２Ｂの開放縁における開放側コーナ部９と反対側の端部にも、切欠き１７が設けられ、この切欠き１７によっても被挿入側シート片２Ａの内面３が露出させている。このような露出によって、挿入側シート片２Ｂ側が捲り易くなっている。
【００３２】
次に、図１乃至図３に基づき、係合部１２の構成を説明する。
図３（Ａ）は係合部による第１の係合状態を示す要部平面図であり、（Ｂ）は係合部による第２の係合状態を示す要部平面図であり、（Ｃ）は係合部による第３の係合状態を示す要部平面図である。
【００３３】
係合部１２は、被挿入側シート片２Ａの開放側コーナ部９に設けられたスリット状の挿入部１８と、該挿入部１８に挿脱自在に挿入される挿入側シート片２Ｂの開放側コーナ部９（角隅１４）とによって構成されている。
【００３４】
挿入部１８は、閉塞側コーナ部１１（閉塞縁４，６）に向かって山形に盛上る円弧状に形成された長孔又は切り目（図示する例では長孔）によって構成されている。この挿入部１８は２つ設けられ、この２つの挿入部１８，１８は、閉塞側コーナ部１１（閉塞縁４，６）に向かって２列に並べられている。この２列に並べられた挿入部１８は、被挿入側シート片２Ａの角隅１４を中心とした円弧状をなし、言換ええると、２つの挿入部１８，１８の円弧形状は、同一中心になっている。
【００３５】
また、シート片２，２同士を重ね合せた際、各挿入部１８の全長方向両端部が、開放縁７，８の開放側コーナ部９寄りの部分から食み出して上記切欠き１６の臨むように、各挿入部１８が形成されており、これによって、挿入側シート片２Ａの開放側コーナ部９を、変形させない状態で、各挿入部１８に挿入することが可能になる。
【００３６】
図３（Ａ）に示す通り、挿入側シート片２Ｂの開放側コーナ部９を、開放側コーナ部９から遠い側の挿入部１８（第１挿入部１８Ｆ）に挿入することにより、該開放側コーナ部９を、被挿入側シート片２Ａの外面側に位置させ、このようにして、第１挿入部１８Ｆに挿通されて被挿入側シート片２Ａの外面側に位置した上記開放側コーナ部９を、開放側コーナ部９に近い側の挿入部１８（第２挿入部１８Ｎ）に挿入することにより、該開放側コーナ部９を被挿入側シート片２Ａの内面３側に位置させる。このようにして、２つの挿入部１８，１８の何れにも挿入された開放側コーナ部９によって、一対のシート片２，２の開放側コーナ部９，９同士が確実に係合され、外れ難くなる。
【００３７】
また同図（Ｂ）に示す通り、挿入側シート片２Ｂの開放側コーナ部９を、第１挿入部１８Ｆに挿入せずに、直接、第２挿入部１８Ｎに挿入し、該開放側コーナ部９を被挿入側シート片２Ａの外面に位置させれば、一対のシート片２，２の開放側コーナ部９，９同士を、角隅１４により近い側で係合させることも可能である。
【００３８】
さらに同図（Ｃ）に示す通り、挿入側シート片２Ｂの開放側コーナ部９を、第２挿入部１８Ｎに挿入せずに、直接、第１挿入部１８Ｆのみに挿入し、該開放側コーナ部９を被挿入側シート片２Ａの外面に位置させれば、一対のシート片２，２の開放側コーナ部９同士を、角隅１４からより遠い側で係合させることも可能である。
【００３９】
このように、２つの挿入部１８，１８によって、係合位置を変更可能である他、この２つの挿入部１８，１８の両方を用いて、より確実に係合させることも可能になり、利便性や汎用性が向上する。ちなみに、シート状書類Ｐの角隅が挿入部１８側まで達している際には、シート状書類Ｐを、挿入側シート片２Ｂの開放側コーナ部９と同一の手順で、挿入部１８，１８に挿入させる。
【００４０】
そして、このようにして、係合部１２による係合を行うことにより、シート片２，２間に介挿されたシート状書類Ｐが、ファイル１から抜出ることを効率的に防止できる一方で、係合部１２による係合を解除することにより、シート片２，２間に収納されたシート状書類Ｐを容易に取出すことが可能になる。
【００４１】
次に、図１，図２及び図４に基づき、保持部１３の構成を説明する。
図４（Ａ）は保持部による第１の保持状態を示す要部平面図であり、（Ｂ）は保持部による第２の保持状態示す要部平面図である。保持部１３は、挿入側シート片２Ｂに設けられ、この保持部１３は、方形状シートＮの四隅をそれぞれ差込む４つの差込部１９，１９，１９，１９によって構成されている。
【００４２】
４つの各差込部１９，１９，１９，１９は、方形状シートＮの中心側に向かって山形をなす円弧状の長孔又は切込み（図示する例では切込み）に形成され、この円弧状の各差込部１９の両側の端部に、該差込部１９幅よりも大きな係止孔１９ａ、１９ａをそれぞれ穿設している。
【００４３】
図４（Ａ）に示す通り、挿入側シート片２Ｂの外面側に位置した方形状シートＮの四隅を、それぞれ対応する差込部１９，１９，１９，１９に挿入し、該四隅を挿入側シート片２Ｂの内面３側の位置させることにより、方形状シートＮを係止して保持することが可能である。この手段によれば、開放縁７，８側を開かずに閉じた状態のまま、方形状シートＮを係脱自在に係止させることが可能になり、利便性が高い。
【００４４】
また、同図（Ｂ）に示す通り、挿入側シート片２Ｂの内面３側に位置した方形状シートＮの四隅を、それぞれ対応する差込部１９，１９，１９，１９に挿入し、該四隅を挿入側シート片２Ｂの外面側の位置させることにより、方形状シートＮを係止して保持することが可能である。この手段によれば、方形状シートＮの４隅以外の部分が、該シート片２Ｂによってカバー保護される。
【００４５】
ちなみに、保持部１３に保持された方形状シートＮの四隅の各頂点は、差込まれた差込部１９の円弧の中心に位置した状態になる。
【符号の説明】
【００４６】
２  シート片
２Ａ  被挿入側シート片
２Ｂ  挿入側シート片
４  閉塞縁
６  閉塞縁
７  開放縁
８  開放縁
９  開放側コーナ部（コーナ部）
１１  閉塞側コーナ部（コーナ部）
１３  保持部
１６  切欠き
１８  挿入部
１９  差込部
１９ａ  係止孔
Ｎ  方形状シート
【図１】
0003172996.tif 000003
【図２】
0003172996.tif 000004
【図３】
0003172996.tif 000005
【図４】
0003172996.tif 000006